(57)【要約】【課題】  プリンタの重複設置を解消したＰＯＳ装置、プリンタ、クレジット処理端末およびＰＯＳ処理方法を提供する【解決手段】  ＰＯＳ装置１は、販売商品の決済情報の処理と売上印刷データの生成を行うＰＯＳ端末２と、ＰＯＳ端末２に接続されクレジット決済機能を有するプリンタ７とを備えている。プリンタ７は、与信照会機関１３へ与信照会をするためにクレジットカード９が有する与信情報をＩＣカード読出／書込機構部１０または磁気カード読出機構部１１で読み出し、決済情報に基づいて売上伝票を印刷するための売上印刷データと、決済情報および与信情報に基づいてクレジット決済伝票を印刷するためのクレジット印刷データとを作成する。作成したデータを基に、両方の伝票８を一括してプリンタ７で印刷することを特徴とする。【選択図】      図１
2006350687.tif 000002
【特許請求の範囲】
【請求項１】
販売商品の決済情報の処理と売上印刷データの生成を行うＰＯＳ端末と、前記ＰＯＳ端末に接続されクレジット決済機能を有するプリンタとを備え、
前記プリンタは、クレジットカードが有する与信情報を読み出す情報取得機構部と、
前記決済情報および前記与信情報に基づいてクレジット印刷データを作成するカード処理部と、
前記売上印刷データおよび前記クレジットカード印刷データに基づき前記売上伝票および前記クレジット決済伝票を印刷する印刷機構部と、を有することを特徴とするＰＯＳ装置。
【請求項２】
請求項１に記載のＰＯＳ装置において、
前記プリンタは、オンラインによって前記決済情報および前記与信情報のデータを送受信して前記クレジットカードの与信照会をする際に、前記データの暗号化および復号化を実行するセキュリティ制御部と、
前記与信照会を前記オンラインで実行する与信照会処理部と、を有することを特徴とするＰＯＳ装置。
【請求項３】
請求項１または２に記載のＰＯＳ装置において、
前記プリンタは、前記ＰＯＳ端末を接続するための通信インタフェースをさらに有しており、
前記通信インタフェースは、前記プリンタの拡張スロットに着脱可能な構成であり、前記通信インタフェースの交換により仕様が異なるＰＯＳ端末との接続を可能にすることを特徴とするＰＯＳ装置。
【請求項４】
販売商品の決済情報の処理と売上印刷データの生成を行うＰＯＳ端末と、前記ＰＯＳ端末に接続されクレジット決済機能を有するクレジット処理端末とを備え、
前記クレジット処理端末は、クレジットカードが有する与信情報を読み出す情報取得機構部と、
前記決済情報および前記与信情報に基づいてクレジット印刷データを作成するカード処理部と、
前記クレジット処理端末に接続され、前記売上印刷データおよび前記クレジットカード印刷データに基づき前記売上伝票および前記クレジット決済伝票を印刷するプリンタを制御する印刷制御部と、を有することを特徴とするＰＯＳ装置。
【請求項５】
請求項４に記載のＰＯＳ装置において、
前記クレジット処理端末は、オンラインによって前記決済情報および前記与信情報のデータを送受信して前記クレジットカードの与信照会をする際に前記データの暗号化および復号化を実行するセキュリティ制御部と、
前記与信照会を前記オンラインで実行する与信照会処理部と、を有することを特徴とするＰＯＳ装置。
【請求項６】
請求項４または５に記載のＰＯＳ装置において、
前記クレジット処理端末は、前記ＰＯＳ端末を接続するための通信インタフェースをさらに有しており、
前記通信インタフェースは、前記クレジット処理端末の拡張スロットに着脱可能な構成であり、前記通信インタフェースの交換により仕様が異なるＰＯＳ端末との接続を可能にすることを特徴とするＰＯＳ装置。
【請求項７】
販売商品の決済情報の処理と売上印刷データの生成を行うＰＯＳ端末を接続するための通信インタフェースと、
与信照会をするためにクレジットカードが有する与信情報を読み出す情報取得機構部と、
オンラインによって前記決済情報および前記与信情報のデータを送受信して前記クレジットカードの前記与信照会をする際に前記データの暗号化および復号化を実行するセキュリティ制御部と、
前記与信照会を前記オンラインで実行する与信照会処理部と、
前記商品情報および前記与信情報に基づいてクレジット決済伝票を印刷するためのクレジット印刷データを作成するカード処理部と、
前記売上印刷データおよび前記クレジットカード印刷データに基づき、前記売上伝票および前記クレジット決済伝票を印刷する印刷機構部と、を有することを特徴とするプリンタ。
【請求項８】
販売商品の決済情報の処理と売上印刷データの生成を行うＰＯＳ端末を接続するための通信インタフェースと、
与信照会をするためにクレジットカードが有する与信情報を読み出す情報取得機構部と、
オンラインによって前記決済情報および前記与信情報のデータを送受信して前記クレジットカードの前記与信照会をする際に前記データの暗号化および復号化を実行するセキュリティ制御部と、
前記与信照会を前記オンラインで実行する与信照会処理部と、
前記商品情報および前記与信情報に基づいてクレジット決済伝票を印刷するためのクレジット印刷データを作成するカード処理部と、
前記売上印刷データおよび前記クレジットカード印刷データに基づき、前記売上伝票および前記クレジット決済伝票を印刷するプリンタを制御する印刷制御部と、を有することを特徴とするクレジット処理端末。
【請求項９】
販売商品の価格を含む商品情報を入力し、決済情報の処理と売上印刷データの生成を行う入力ステップと、
与信照会をするためにクレジットカードが有する与信情報を読み出す情報取得ステップと、
前記決済情報および前記与信情報の暗号化および復号化による送受信により前記クレジットカードの与信照会をオンラインで実行する照会ステップと、
前記決済情報および前記与信情報に基づいてクレジット決済伝票を印刷するためのクレジット印刷データを作成する印刷データ作成ステップと、
前記売上印刷データおよび前記クレジットカード印刷データに基づき、前記売上伝票および前記クレジット決済伝票を印刷する印刷ステップと、を有することを特徴とするＰＯＳ処理方法。
【発明の詳細な説明】
【技術分野】
【０００１】
本発明は、クレジットカードなどの決済をするためのＰＯＳ装置、クレジット決済機能を有するプリンタおよびクレジット処理端末並びにこれらを用いてクレジットカードなどの決済をするためのＰＯＳ処理方法に関する。
【背景技術】
【０００２】
従来、販売時点情報管理をするＰＯＳ（Point  of  Sales）処理を行うために、図９に示すようなＰＯＳ装置５０が使用されている。ＰＯＳ装置５０は、現金決済用のＰＯＳ端末５１と、クレジット処理端末であるＣＡＴ（Credit  Authorization  Terminal）端末５６とを備えている。ＰＯＳ端末５１は、商品に付されているバーコード等の情報を読み取るバーコードリーダなどの入力装置５２と、読み取った情報を元に商品名、値段等を取得し決済処理などを行う処理装置と売上伝票５４を発行するプリンタ５５とを備え、商品の在庫管理、販売管理をするために用いられる。
【０００３】
近年、支払方法が多様化し、現金決済に加えクレジットカード５８による支払いが増えているが、それに伴いクレジットカード５８の不正使用も増加している。クレジットカード５８による支払いには、不正使用の防止のためクレジットカード会社６２との間で、都度、認証（与信照会）が行われているが、さらに、よりセキュリティを高めるためＩＣクレジットカード化が進められている。そのため、特許文献１に示すように、ＣＰＵやメモリ等のＩＣが内蔵されているクレジットカード（ＩＣクレジットカード）を含むクレジットカード５８による取引を可能にするＣＡＴ端末５６を、ＰＯＳ端末５１に接続して処理する方法が用いられるようになっている。
【０００４】
このＣＡＴ端末５６は、特許文献２に示すように、単体でクレジットカード５８の処理を行うことが可能である。ＣＡＴ端末５６をＰＯＳ端末５１に接続すれば、各種のクレジットカード５８や現金支払い方法など多様な支払い方法に対応可能なＰＯＳ装置５０の構成が可能である。
【０００５】
【特許文献１】特開２００３−６７８４４号公報
【特許文献２】特開平１１−２１５２５５号公報
【発明の開示】
【発明が解決しようとする課題】
【０００６】
しかし、特許文献１の従来の技術では、売上処理をするＰＯＳ端末５１およびクレジット処理をするＣＡＴ端末５６とが、もともと独立して個別の処理が可能な端末であり、ＰＯＳ端末５１とＣＡＴ端末５６とを接続しても、売上伝票５４の発行は、ＰＯＳ端末５１のプリンタ５５で行い、クレジット決済伝票６０の発行は、ＣＡＴ端末５６のプリンタ部６１で行わなければならない。支払い方法によって伝票を発行するプリンタが異なり、オペレータにとっては煩わしい対応を強いられている。
【０００７】
本発明は、上記課題を解決するために、プリンタの重複設置を解消したＰＯＳ装置、プリンタ、クレジット処理端末およびＰＯＳ処理方法を提供することを目的とする。
【課題を解決するための手段】
【０００８】
本発明のＰＯＳ装置は、販売商品の決済情報の処理と売上印刷データの生成を行うＰＯＳ端末と、ＰＯＳ端末に接続されクレジット決済機能を有するプリンタとを備え、プリンタは、与信照会をするためにクレジットカードが有する与信情報を読み出す情報取得機構部と、決済情報および与信情報に基づいてクレジット決済伝票を印刷するためのクレジット印刷データを作成するカード処理部と、売上印刷データおよびクレジットカード印刷データに基づき、売上伝票およびクレジット決済伝票を印刷する印刷機構部と、を有することを特徴とする。
【０００９】
このＰＯＳ装置によれば、ＰＯＳ端末とプリンタとを有しており、ＰＯＳ端末によって販売した商品の価格等の商品情報を入力し、決済情報の処理と売上印刷データの生成を行い、ＰＯＳ端末と接続されクレジットカードを処理するための情報取得機構部およびカード処理部を有するプリンタによってクレジット決済をする。クレジット決済後、プリンタは、売上伝票およびクレジット決済伝票を印刷する。このように、ＰＯＳ端末にクレジット決済機能付のプリンタを接続するだけで、クレジットカードでの決済と、売上伝票およびクレジット決済伝票の一括印刷とが可能になる。従って、従来と異なり、売上伝票とクレジット決済伝票とをそれぞれ印刷する２台のプリンタを使うことなく１台のプリンタで両伝票の印刷が可能となる。また、このＰＯＳ装置は、ＰＯＳ端末、売上伝票用プリンタ、クレジット処理用の端末およびクレジット決済伝票用プリンタなどを個別に接続して個々の設定調整をする手数が不要である。
【００１０】
この場合、プリンタは、オンラインによって決済情報および与信情報のデータを送受信してクレジットカードの与信照会をする際に、データの暗号化および復号化を実行するセキュリティ制御部と、与信照会をオンラインで実行する与信照会処理部と、を有することが好ましい。
【００１１】
この構成によれば、プリンタの有するセキュリティ制御部と与信照会処理部とによってクレジットカードの与信照会が暗号を用いて実行されるため、決済情報および与信情報の漏洩を防止可能である。顧客の個人情報が保護され、顧客は、安心してクレジットカードによる商品購入を行うことが可能である。暗号化および復号化の方法としては、公開鍵暗号方式、電子署名、秘密鍵暗号方式などで、可能である。
【００１２】
また、プリンタは、ＰＯＳ端末を接続するための通信インタフェースをさらに有しており、通信インタフェースは、プリンタの拡張スロットに着脱可能な構成であり、通信インタフェースの交換により仕様が異なるＰＯＳ端末との接続を可能にすることが好ましい。
【００１３】
この構成によれば、プリンタは拡張スロットを有しており、拡張スロットに装着する通信インタフェースを交換することによって、仕様の異なるＰＯＳ端末であってもプリンタとの接続が可能である。このように、プリンタの本体装置自体を変更せずにＰＯＳ端末と接続ができ、ＰＯＳ端末をクレジットカードの処理可能な端末へ機能向上させることが容易になる。
【００１４】
本発明のＰＯＳ装置は、販売商品の決済情報の処理と売上印刷データの生成を行うＰＯＳ端末と、ＰＯＳ端末に接続されクレジット決済機能を有するクレジット処理端末とを備え、クレジット処理端末は、与信照会をするためにクレジットカードが有する与信情報を読み出す情報取得機構部と、決済情報および与信情報に基づいてクレジット決済伝票を印刷するためのクレジット印刷データを作成するカード処理部と、クレジット処理端末に接続され、売上印刷データおよびクレジットカード印刷データに基づき、売上伝票およびクレジット決済伝票を印刷するプリンタを制御する印刷制御部と、を有することを特徴とする。
【００１５】
このＰＯＳ装置によれば、ＰＯＳ端末と、クレジット処理端末と、プリンタとを有しており、ＰＯＳ端末によって販売した商品の価格等の商品情報を入力し、決済情報の処理と売上印刷データの生成を行い、ＰＯＳ端末と接続されクレジットカードを処理するための情報取得機構部およびカード処理部を有するクレジット処理端末によってクレジット決済をする。クレジット決済後、クレジット処理端末に接続されているプリンタによって、売上伝票およびクレジット決済伝票を印刷する。従って、従来と異なり、売上伝票とクレジット決済伝票とをそれぞれ印刷する２台のプリンタを使うことなく１台のプリンタで両伝票の印刷が可能となる。このように、ＰＯＳ端末にクレジット処理端末を接続し、さらに、売上伝票を印刷するプリンタをクレジット処理端末に接続することにより、このプリンタによって売上伝票およびクレジット決済伝票の一括印刷が可能になる。プリンタは、従来ＰＯＳ端末に接続して売上伝票を印刷していたものを使用可能であり、従って、このＰＯＳ装置は、クレジットカードの処理をするクレジット処理端末を新たにＰＯＳ端末に接続するだけでよく、クレジット処理端末に対応するために、ＰＯＳ端末およびプリンタの設定を変更する必要がない。
【００１６】
この場合、クレジット処理端末は、オンラインによって決済情報および与信情報のデータを送受信してクレジットカードの与信照会をする際にデータの暗号化および復号化を実行するセキュリティ制御部と、与信照会をオンラインで実行する与信照会処理部と、を有することが好ましい。
【００１７】
この構成によれば、クレジット処理端末の有するセキュリティ制御部と与信照会処理部とによってクレジットカードの与信照会が暗号を用いて実行されるため、決済情報および与信情報の漏洩を防止可能である。顧客の個人情報が保護され、顧客は、安心してクレジットカードによる商品購入を行うことが可能である。
【００１８】
また、クレジット処理端末は、ＰＯＳ端末を接続するための通信インタフェースをさらに有しており、通信インタフェースは、クレジット処理端末の拡張スロットに着脱可能な構成であり、通信インタフェースの交換により仕様が異なるＰＯＳ端末との接続を可能にすることが好ましい。
【００１９】
この構成によれば、クレジット処理端末は拡張スロットを有しており、拡張スロットに装着する通信インタフェースを交換することによって、仕様の異なるＰＯＳ端末であってもクレジット処理端末との接続が可能である。このように、クレジット処理端末の本体装置自体を変更せずにＰＯＳ端末と接続ができ、ＰＯＳ端末をクレジットカードの処理可能な端末へ機能向上させることが容易になる。
【００２０】
本発明のプリンタは、販売商品の決済情報の処理と売上印刷データの生成を行うＰＯＳ端末を接続するための通信インタフェースと、与信照会をするためにクレジットカードが有する与信情報を読み出す情報取得機構部と、オンラインによって決済情報および与信情報のデータを送受信してクレジットカードの与信照会をする際にデータの暗号化および復号化を実行するセキュリティ制御部と、与信照会をオンラインで実行する与信照会処理部と、商品情報および与信情報に基づいてクレジット決済伝票を印刷するためのクレジット印刷データを作成するカード処理部と、売上印刷データおよびクレジットカード印刷データに基づき、売上伝票およびクレジット決済伝票を印刷する印刷機構部と、を有することを特徴とする。
【００２１】
このプリンタによれば、ＰＯＳ端末と接続するための通信インタフェースと、クレジットカードを処理するための情報取得機構部、セキュリティ制御部および与信照会処理部と、売上伝票およびクレジット決済伝票を印刷する印刷機構部とを有している。プリンタが通信インタフェースを有することにより、ＰＯＳ端末から入力される販売した商品の価格等の決済情報と、プリンタが処理するクレジットカードの与信情報とが互いに送受信可能となる。従って、クレジットカードによる決済後、ＰＯＳ端末からの情報に基づく売上伝票およびプリンタからの情報に基づくクレジット決済伝票を、従来のようにそれぞれ個別のプリンタで印刷することなく、一括して印刷機構部で印刷することが可能となる。また、クレジットカードの与信照会が暗号を用いて実行され、決済情報および与信情報の漏洩を防止可能である。
【００２２】
本発明のクレジット処理端末は、販売商品の決済情報の処理と売上印刷データの生成を行うＰＯＳ端末を接続するための通信インタフェースと、与信照会をするためにクレジットカードが有する与信情報を読み出す情報取得機構部と、オンラインによって商品情報および与信情報のデータを送受信してクレジットカードの与信照会をする際にデータの暗号化および復号化を実行するセキュリティ制御部と、与信照会をオンラインで実行する与信照会処理部と、決済情報および与信情報に基づいてクレジット決済伝票を印刷するためのクレジット印刷データを作成するカード処理部と、売上印刷データおよびクレジットカード印刷データに基づき、売上伝票およびクレジット決済伝票を印刷するプリンタを制御する印刷制御部と、を有することを特徴とする。
【００２３】
このクレジット処理端末によれば、ＰＯＳ端末と接続するための通信インタフェースと、プリンタを接続するための印刷制御部と、クレジットカードを処理するための情報取得機構部、セキュリティ制御部、与信照会処理部とを有している。クレジット処理端末が通信インタフェースを有することにより、ＰＯＳ端末から入力される販売した商品価格等の決済情報と、クレジット処理端末が処理するクレジットカードの与信情報とが互いに送受信可能となる。従って、クレジットカードによる決済後、ＰＯＳ端末からの情報に基づく売上伝票およびクレジット処理端末からの情報に基づくクレジット決済伝票を、従来のように個別のプリンタで印刷することなく、クレジット処理端末に接続されているプリンタによって一括して印刷することが可能である。また、クレジットカードの与信照会が暗号を用いて実行され、決済情報および与信情報の漏洩を防止可能である。
【００２４】
本発明のＰＯＳ処理方法は、販売商品の価格を含む商品情報を入力し、決済情報の処理と売上印刷データの生成を行う入力ステップと、与信照会をするためにクレジットカードが有する与信情報を読み出す情報取得ステップと、決済情報および与信情報の暗号化および復号化による送受信によりクレジットカードの与信照会をオンラインで実行する照会ステップと、決済情報および与信情報に基づいてクレジット決済伝票を印刷するためのクレジット印刷データを作成する印刷データ作成ステップと、売上印刷データおよびクレジットカード印刷データに基づき、売上伝票およびクレジット決済伝票を印刷する印刷ステップと、を有することを特徴とする。
【００２５】
このＰＯＳ処理方法によれば、印刷データ作成ステップにおいて、入力ステップで入力された商品情報と情報取得ステップで読み出されたクレジットカードの与信情報とから、売上伝票およびクレジット決済伝票の印刷データを一括して作成する。作成した印刷データに基づき印刷ステップで両伝票を一括して印刷する。こうして、従来のように売上伝票およびクレジット決済伝票を個別のプリンタでそれぞれ印刷するような手数を省くことが可能となる。さらに、照会ステップにおいて、クレジットカードの与信照会が暗号を用いて実行されることにより、商品情報および与信情報の漏洩を防止可能である。
【発明を実施するための最良の形態】
【００２６】
以下、本発明を具体化した実施形態について図面に従って説明する。実施形態のＰＯＳ装置は、従来から用いられている現金決済用のＰＯＳ端末にクレジットカードの決済機能を有するプリンタまたはクレジット処理端末を接続することにより、現金およびクレジットカード決済に対応が可能なものである。また、クレジットカードの一種であるＩＣクレジットカードの規格であるＥＭＶなどの新しい仕様等にも準拠するＰＯＳ装置である。
（実施形態１）
【００２７】
図１は、実施形態１のＰＯＳ装置を示す模式図である。ＰＯＳ装置１は、現金決済用のＰＯＳ端末２を有する。ＰＯＳ端末２は、商品に取り付けられているバーコードの情報を読み取るバーコードリーダ３と、入力操作用のキーボード４と、入力内容を表示する表示部５とを有している。ＰＯＳ端末２は、バーコードリーダ３から読み取った情報を元に、商品名や価格等を取得し、決済処理などを行う。そして、ＰＯＳ端末２は、複数のＰＯＳ端末２からの情報を管理可能で販売時点管理を集中的に行うホストコンピュータ６に接続されている。
【００２８】
また、ＰＯＳ装置１は、ＰＯＳ端末２に接続されているプリンタ７を有する。プリンタ７は、伝票８の印刷を実行し、印刷する伝票８は、商品名や価格等を印刷した図９に示す現金決済の売上伝票５４と、クレジット決済の場合にクレジット決済内容を印刷した図９に示すクレジット決済伝票６０とである。プリンタ７は、さらにクレジットカード９によるクレジット決済機能とクレジットカード９に関する与信照会機能とを有している。
【００２９】
プリンタ７が対応可能なクレジットカード９は、接触（端子接続）または非接触（無線通信）により読み出しおよび書き込み自在なＩＣクレジットカードおよび読み出し専用の磁気クレジットカード（磁気ストライプ搭載クレジットカード）である。そのためプリンタ７は、情報取得機構部１４として、ＩＣクレジットカードに対応するためのＩＣカード読出／書込機構部１０と、磁気クレジットカードに対応するための磁気カード読出機構部１１とを有する。
【００３０】
そして、プリンタ７には、クレジット決済の際に、顧客確認のために顧客に予め設定してある暗証番号を入力してもらうためのピンパッド１２がケーブル接続されている。また、クレジットカード９の有効期間や過去の使用履歴、トラブルの有無、偽造品でないかなどの与信情報をチェックして、クレジットカード９の有効性を確認するいわゆる与信照会のために、プリンタ７と与信照会機関１３とがオンラインで接続されている。
【００３１】
与信照会機関１３は、クレジットカード９を発行したクレジットカード会社や金融機関などが独自に運営している機関と、クレジットカード会社や金融機関などから委託を受け、それぞれの代行として与信照会をしている情報処理センタ等とがある。一般に、情報処理センタ等の代行機関が与信照会を行うようになってきている。
【００３２】
次に、このＰＯＳ装置１の構成についてさらに詳細に説明する。図２は、ＰＯＳ装置の構成を示すブロック図である。ＰＯＳ装置１は、ＰＯＳ端末２と、プリンタ７と、ピンパッド１２を有する。プリンタ７は、ＰＯＳ端末２、ピンパッド１２、与信照会機関１３との接続制御およびプリンタ７の有する各機構部を制御するための制御部１５を有する。
【００３３】
制御部１５は、プリンタ７とＰＯＳ端末２およびピンパッド１２とを接続するための通信インタフェース１６と、与信照会機関１３と接続してオンライン通信をするための与信照会処理部１７とを有する。この与信照会処理部１７を介して与信照会機関１３とオンライン通信をする際に、与信情報の漏洩を防ぐ目的で与信情報の暗号化および暗号化された与信情報の復号化を行うため、カード発行元の各クレジットカード９に対応する暗号化および復号化用の鍵を保存しているセキュリティモジュール１８を制御するセキュリティ制御部１９を有する。
【００３４】
また、クレジットカード９の一種であるＩＣクレジットカードからの情報の読み出しおよびＩＣクレジットカードへの情報の書き込みをするためのＩＣカード読出／書込機構部１０を制御するためのＩＣカード制御部２０と、磁気カードからの情報の読み出しをするための磁気カード読出機構部１１を制御する磁気カード制御部２１とを有する。ＩＣクレジットカードと通信をする際には、与信照会機関１３とオンライン通信をする場合と同様に、ＩＣクレジットカードの有する暗号処理機能に対応して、ＩＣカード読出／書込機構部１０を介して、ＩＣクレジットカードとＩＣカード制御部２０との間で暗号による通信が行われる。
【００３５】
そして、伝票８を印刷する印刷機構部２２を制御する印刷制御部２３と、ＰＯＳ端末２からの印刷データ等を一時的に保存しておくＲＡＭ（Random  Access  Memory）２４と、クレジットカード９による決済処理のためのアプリケーションなどを保存しておくフラッシュＲＯＭ（Read  Only  Memory）２５と、フラッシュＲＯＭ２５に保存されているアプリケーションなどに従ってプリンタ７を制御するＣＰＵ（Central  Processing  Unit）２９とを有する。
【００３６】
フラッシュＲＯＭ２５は、ＩＣクレジットカードによる決済情報の履歴を一時的に保存しておくクレジット取引記録ファイル２６と、与信照会機関１３から配信されるダウンロードデータを保存しておくダウンロードデータファイル２７と、クレジット処理等を実行するためのアプリケーションを保存しておくアプリケーションファイル２８とを有する。さらに、フラッシュＲＯＭ２５は、図２に記載していないが、電源投入時のプリンタ７の初期化などに必要な最小限のプログラムの集合体であるブート領域と、プリンタ７を制御するファームプログラムを保存するためのファームウエア領域と、印刷する文字のフォント等を保存するデータ領域とを有している。このフラッシュＲＯＭ２５は、不揮発性メモリであって、保存している内容を自在に書き換えでき、電源が遮断されても記憶内容を保持することが可能である。
【００３７】
ＣＰＵ２９は、クレジットカード９での決済をするためのアプリケーションを、フラッシュＲＯＭ２５のアプリケーションファイル２８から選択して実行するためのアプリケーション選択実行部３０と、選択されたアプリケーションに基づいて磁気クレジットカードによる決済処理をする磁気カード処理部（カード処理部）３１と、ＩＣクレジットカードによる決済処理をするＩＣカード処理部（カード処理部）３２として機能し、プリンタ７を制御する。
【００３８】
これら通信インタフェース１６、与信照会処理部１７、セキュリティ制御部１９、ＩＣカード制御部２０、磁気カード制御部２１、印刷制御部２３、ＲＡＭ２４、フラッシュＲＯＭ２５、ＣＰＵ２９とがバス３３を介して相互に接続されている。
【００３９】
このＰＯＳ装置１において、通信インタフェース１６は、ＰＯＳ端末２を介してホストコンピュータ６と接続されているインタフェースであって、プリンタ７の図示していない拡張スロットに脱着可能な構成で装着され、制御部１５の一機能として機能する。通信インタフェース１６は、ＰＯＳ端末２とプリンタ７とピンパッド１２とにそれぞれ接続するためのコネクタ部を有している。コネクタ部は、ＲＳ−２３２規格などのシリアルデータ転送、セントロニクス規格などのパラレルデータ転送、イーサネット（登録商標）の１０Ｂａｓｅ−Ｔ、１００Ｂａｓｅ−Ｔなどのネットワーク接続、ＵＳＢなどのデータ転送規格に対応したものを採用可能である。また、接続する装置にそれぞれ準拠してインタフェースとしての機能を果たすためにＣＰＵ、ＲＯＭ、ＲＡＭを有している。
【００４０】
また、通信インタフェース１６は、ＰＯＳ端末２からの印刷データ等をＲＡＭ２４のバッファ領域に一旦保存し、プリンタ７のＲＡＭ２４の空き状態に応じて印刷データ等をＲＡＭ２４へ送信することができるため、多量のデータであってもＰＯＳ端末２からプリンタ７へスムーズに且つ高速に送信可能である。
【００４１】
さらに、ＰＯＳ端末２とプリンタ７とのＴＴＬ（Transistor  Transistor  Logic）とＣＭＯＳなどの駆動電圧が異なる場合に、駆動電圧のレベル変換を行うドライバ回路を備えて信号レベルを容易に変換することなどが可能である。このようなインタフェース機能を機能させるためのプログラムは、通信インタフェース１６のＲＯＭに保存され、これらのプログラムをＣＰＵが実行することによってインタフェースとしての機能を発揮する。従って、プリンタ７に通信インタフェース１６を装着することにより、プリンタ７本体の装置等を変更することなく種々のＰＯＳ端末２をプリンタ７へ接続することが可能となる。
【００４２】
以上のようなＰＯＳ装置１によるクレジット決済方法についてフローチャートに基づいて説明する。最初に、ＰＯＳ装置１のＰＯＳ端末２が行う決済処理の方法について説明する。図３は、ＰＯＳ端末での決済処理を示すフローチャートである。フローチャートでは、売上伝票を現金支払用のレシート、また、クレジット決済伝票をクレジット支払用のレシートと記載してある。
【００４３】
ステップＳ１において、販売した商品に添付されているバーコードタグからバーコードリーダ３で商品コードを入力し、ＰＯＳ端末２で商品名および商品価格を読み取る。バーコードタグを用いない場合は、キーボード４からオペレータによって商品コードが入力される。入力された後、ステップＳ２へ進む。
【００４４】
ステップＳ２において、顧客の支払い（決済）方法が現金支払いであることの入力を受信したか否かを判断する。入力は、オペレータによってキーボード４から行われる。入力結果が現金支払いであれば、ステップＳ３へ進み、一方、現金支払いではなくクレジットカード９での支払いであれば、ステップＳ４へ進む。
【００４５】
そして、ステップＳ３において、現金支払い処理の終了の入力を受信したか否かを判断する。入力は、オペレータによってキーボード４から行われる。処理が終了していなければ、ステップＳ３で終了を待ち、一方、終了すれば、ステップＳ４へ進む。
【００４６】
ステップＳ４において、プリンタ７へ支払い方法および支払い金額のデータを送信する。送信後、ステップＳ５へ進む。
【００４７】
ステップＳ５において、現金支払用のレシート（売上伝票）を印刷するためのデータを作成するか否かを判断する。支払い方法が現金であれば、ステップＳ６へ進み、一方、現金支払いではなくクレジットカード９での支払いであれば、ステップＳ７へ進む。
【００４８】
次に、ステップＳ６においては、支払いが現金であるため、現金支払用のレシートを印刷するための売上印刷データを作成しプリンタ７へ送信する。送信後、フローを終了する。
【００４９】
また、ステップＳ７においては、支払い方法がクレジットカード９による支払いであるため、プリンタ７によるクレジット支払い処理が終了した通知をプリンタ７から受信したか否かを判断する。通知には、クレジットカード９による支払いに関するデータも含まれる。このデータには、クレジットカード９の発行カード会社、カード番号、分割支払いの有無などが含まれている。そして、通知を受信していなければ、受信するまでステップＳ７で待ち、一方、受信すれば、ステップＳ８へ進む。
【００５０】
ステップＳ８において、クレジットカード９による支払い処理の終了通知を受けて、クレジット支払用のレシート（クレジット決済伝票）を印刷するためのクレジット印刷データを作成しプリンタ７へ送信する。印刷データは、支払い処理の終了通知と合わせて送信されて来るクレジットカード９による支払いに関するデータを基に作成される。印刷データの送信後、フローを終了する。
【００５１】
次に、ＰＯＳ端末２の決済処理に対応してプリンタ７が実行する処理についてフローチャートに基づいて説明する。図４は、プリンタによるクレジット処理およびレシート印刷処理を示すフローチャートである。
【００５２】
まず、ステップＳ１０において、ＰＯＳ端末２から支払い方法および金額のデータを受信したか否かをアプリケーション選択実行部３０が判断する。該当データは、ステップＳ４においてＰＯＳ端末２がプリンタ７へ送信してくるデータである。受信していなければ、ステップＳ１０で受信を待ち、一方、受信すれば、ステップＳ１１へ進む。
【００５３】
ステップＳ１１において、ステップＳ１０で受信したデータによる支払い方法がクレジットカード９での支払いであるか否かをアプリケーション選択実行部３０が判断する。クレジットカード９での支払いであれば、ステップＳ１２へ進み、一方、クレジットカード９での支払いではなく現金による支払いであれば、ステップＳ１３へ進む。
【００５４】
次に、ステップＳ１２において、クレジットカード９での支払いのために、クレジットカード９が情報取得機構部１４へ挿入されたか否かを判断する。クレジットカード９が挿入されると、クレジットカード９がＩＣクレジットカードであれば、ＩＣカード制御部２０がＩＣカード読出／書込機構部１０を介してＩＣクレジットカードであることを検出する。同様に、クレジットカード９が磁気クレジットカードであれば磁気カード制御部２１が磁気カード読出機構部１１を介して磁気クレジットカードであることを検出する。クレジットカード９が挿入されていないと、ステップＳ１２でクレジットカード９が挿入されるのを待ち、一方、クレジットカード９の挿入が確認されるとステップＳ１４へ進む。
【００５５】
また、ステップＳ１３においては、現金による支払いの場合であり、現金支払い用のレシートを印刷するための売上印刷データをＰＯＳ端末２から受信したか否かをアプリケーション選択実行部３０が判断する。該当データは、ステップＳ６においてＰＯＳ端末２がプリンタ７へ送信してくるデータである。受信していなければ、ステップＳ１３で受信を待ち、一方、受信すれば、ステップＳ１５へ進む。
【００５６】
ステップＳ１５において、アプリケーション選択実行部３０による受信判断を受け、印刷制御部２３が印刷機構部２２を制御して現金支払用レシートの印刷を実行する。印刷の実行により現金による支払い処理が完了し、フローを終了する。
【００５７】
クレジットカード９による支払いの場合は、ステップＳ１４において、情報取得機構部１４へ挿入されたクレジットカード９に対応するアプリケーションが選択される。具体的には、アプリケーション選択実行部３０が情報取得機構部１４によるクレジットカード９の検出結果を受け、フラッシュＲＯＭ２５のアプリケーションファイル２８の中から該当するアプリケーションを選択してＲＡＭ２４へ保存する。保存後、ステップＳ１６へ進む。
【００５８】
ステップＳ１６において、既に判明しているクレジットカード９の種類による次ステップの選択のために、クレジットカード９がＩＣクレジットカードか否かをアプリケーション選択実行部３０が判断する。ＩＣクレジットカードであれば、ステップＳ１７へ進み、一方、ＩＣクレジットカードではなく磁気クレジットカードであれば、ステップＳ１８へ進む。
【００５９】
次に、ステップＳ１７において、アプリケーション選択実行部３０、ＩＣカード処理部３２、ＩＣカード制御部２０および与信照会処理部１７がＩＣクレジットカードでの支払い処理を実行する。処理の詳細は、図５を参照して後述する。支払い処理の実行後、ステップＳ１９へ進む。
【００６０】
また、ステップＳ１８において、アプリケーション選択実行部３０、磁気カード処理部３１、磁気カード制御部２１および与信照会処理部１７が磁気クレジットカードでの支払い処理を実行する。処理の詳細は、図６を参照して後述する。支払い処理の実行後、ステップＳ１９へ進む。
【００６１】
そして、ステップＳ１９において、クレジットカード９による支払い処理の終了の通知をＰＯＳ端末２へアプリケーション選択実行部３０が送信する。このとき、支払い処理のデータも合わせて送信する。このデータは、既に述べたステップＳ７において、ＰＯＳ端末２によって受信される。送信後、ステップＳ２０へ進む。
【００６２】
ステップＳ２０において、クレジット支払用のレシートを印刷するためのクレジット印刷データをＰＯＳ端末２から受信したか否かをアプリケーション選択実行部３０が判断する。印刷データは、ステップＳ８においてＰＯＳ端末２が送信する。印刷データを受信していなければ、ステップＳ２０で受信を待ち、一方、印刷データを受信すれば、ステップＳ２１へ進む。
【００６３】
ステップＳ２１において、印刷制御部２３が印刷機構部２２を制御してクレジット支払用レシートの印刷を実行する。以上で、クレジットカード９による支払い処理が完了し、フローを終了する。
【００６４】
続いて、ステップＳ１７におけるＩＣクレジットカードでの支払い処理について、詳細に説明する。図５は、ＩＣクレジットカードでの決済処理の詳細を示すフローチャートである。ステップＳ３０において、ＩＣカード読出／書込機構部１０がＩＣクレジットカードの有するＩＣからカード固有のデータを読み取る。固有のデータは、発行カード会社、カード番号、有効期限、使用限度金額、分割支払いの可否、過去の決済履歴などである。データの読み取り後、ステップＳ３１へ進む。
【００６５】
ステップＳ３１において、ＩＣクレジットカードが、ＩＣクレジットカードから読み取ったデータ上、決済可能なものであるか否かをＩＣカード処理部３２が判断する。決済不可であれば、ステップＳ３２へ進み、一方、決済可能であれば、ステップＳ３３へ進む。ステップＳ３１において決済不可の判断がなされる場合とは、ＩＣカード処理部３２が未対応なＩＣクレジットカードである場合、ＩＣクレジットカードの有効期限が切れている場合、ＩＣクレジットカードが対応していない支払い方法が選択されている場合、偽造ＩＣクレジットカードである場合などである。
【００６６】
決済不可と判断されると、ステップＳ３２において、取引（決済）を中止してフローを終了する。
【００６７】
決済可能と判断されると、ステップＳ３３において、暗証番号が顧客によって入力されたか否かをＩＣカード処理部３２が判断する。入力されていなければ、ステップＳ３３で入力を待ち、一方、入力されるとステップＳ３４へ進む。
【００６８】
ステップＳ３４において、入力された暗証番号が正しいか否かをＩＣカード処理部３２が判断する。この場合、暗証番号は、ＩＣクレジットカードのＩＣに保存されており、照合の結果、正しくなければステップＳ３２へ進み、一方、正しければ、ステップＳ３５へ進む。
【００６９】
ステップＳ３５において、オンラインにて与信照会が必要か否かをＩＣカード処理部３２が判断する。必要と判断されれば、ステップＳ３６へ進み、一方、不必要と判断されれば、ステップＳ３７へ進む。与信照会が必要と判断される場合とは、アプリケーションによる設定が照会必要と成っている場合、与信照会機関１３による与信照会を行わないオフラインによる決済が続いている場合、決済金額が使用限度金額を超えている場合、決済履歴に不審な点がある場合などである。
【００７０】
ＩＣクレジットカードは、内部にコンピュータと同様に、決済処理、暗号による通信処理、決済内容の保存などが可能なアプリケーションを有し、磁気クレジットカードのように都度オンラインによる与信照会をせずにいわゆるオフラインによる決済も可能である。このオフラインによる決済が続いている場合には、オンラインによる与信照会を経る決済が必要と判断される。ＩＣクレジットカードによる決済履歴は、ＩＣクレジットカードのＩＣに保存されており、オンラインで与信照会を行えばオフラインによる過去の決済の照合ができ、不審点の有無を確認可能である。
【００７１】
また、プリンタ７のクレジット取引記録ファイル２６には、プリンタ７によるＩＣクレジットカードの決済履歴が保存されている。ダウンロードデータファイル２７には、例えば暗証番号なしでも所定期間ならば決済可能な処置を設定するピンバイパス処理や不正使用されたＩＣクレジットカードの番号等のデータが与信照会機関１３から送信されて保存されている。これらのファイルとＩＣクレジットカードとを照合すれば、不審点のチェックが可能である。
【００７２】
そして、与信照会が必要な場合に、ステップＳ３６において、与信照会処理部１７を介して与信照会機関１３へ与信照会を行う。与信照会において、オンラインで送受信されるデータ等は、セキュリティ制御部１９によって暗号化され、外部への漏洩を防止するようになっており、ステップＳ３５において与信照会が必要と判断された事項を含めて照会がなされる。照会処理後、ステップＳ３８へ進む。
【００７３】
ステップＳ３８において、ＩＣクレジットカードが決済可能なカードであると確定したか否かを、ＩＣカード処理部３２が判断する。判断は、与信照会の結果に基づいて判断される。決済可能と判断されなければ、ステップＳ３２へ進み、一方、決済可能と判断されれば、ステップＳ３９へ進む。
【００７４】
ステップＳ３９において、オンラインにてＩＣクレジットカードでの支払い処理を実行する。実行後、ステップＳ４０へ進む。
【００７５】
また、ステップＳ３５でオンラインにて与信照会が不必要と判断されれば、ステップＳ３７において、オフラインにてＩＣクレジットカードでの支払い処理を実行する。実行後、ステップＳ４０へ進む。
【００７６】
ステップＳ４０において、ＩＣカード読出／書込機構部１０がＩＣカード制御部２０の指示によって、ＩＣクレジットカードのＩＣへ支払い結果を書き込む。今回の商品購入がＩＣクレジットカードに決済履歴として保存され、フローが終了する。
【００７７】
次に、ステップＳ１８における磁気クレジットカードでの支払い処理について説明する。磁気クレジットカードは、ＩＣクレジットカードと異なり、読み取り専用であって決済結果等の保存はできない。図６は、磁気クレジットカードでの決済処理の詳細を示すフローチャートである。ステップＳ５０において、磁気カード読出機構部１１が、磁気クレジットカードの情報を保存している磁気帯からカード固有のデータを読み取る。固有のデータは、発行カード会社、カード番号、有効期限、使用限度金額などであって、ＩＣクレジットカードに比べて決済履歴などが無く極めて少ない。データの読み取り後、ステップＳ５１へ進む。
【００７８】
ステップＳ５１において、磁気クレジットカードが、磁気クレジットカードから読み取ったデータ上、決済可能なものであるか否かを磁気カード処理部３１が判断する。決済不可であれば、ステップＳ５２へ進み、一方、決済可能であれば、ステップＳ５３へ進む。ステップＳ５１において決済不可の判断がなされる場合とは、磁気カード処理部３１が未対応な磁気クレジットカードである場合、磁気クレジットカードの有効期限が切れている場合、偽造磁気クレジットカードである場合などである。
【００７９】
決済不可と判断されると、ステップＳ５２において、取引を中止してフローを終了する。
【００８０】
また、決済可能と判断されると、ステップＳ５３において、与信照会処理部１７を介して与信照会機関１３へ与信照会を行う。与信照会において、オンラインで送受信されるデータ等は、セキュリティ制御部１９によって暗号化され、外部への漏洩を防止するように成っており、磁気クレジットカードの固有データに基づいて照会がなされる。照会処理後、ステップＳ５４へ進む。
【００８１】
ステップＳ５４において、磁気クレジットカードが決済可能なカードであると確定したか否かを、磁気カード処理部３１が判断する。判断は、与信照会の結果に基づいて判断される。決済可能と判断されなければ、ステップＳ５２へ進み、一方、決済可能と判断されれば、ステップＳ５５へ進む。
【００８２】
ステップＳ５５において、磁気クレジットカードでの支払い処理を実行する。実行後、フローを終了する。
【００８３】
なお、ステップＳ１が入力ステップに該当し、ステップＳ３０およびＳ５０が情報取得ステップに該当し、ステップＳ６およびＳ８が印刷データ作成ステップに該当し、ステップＳ１５およびＳ２１が印刷ステップに該当する。
【００８４】
以上、本発明を具体化した実施形態１について説明した。実施形態１の効果をまとめて記載する。
【００８５】
（１）本発明のＰＯＳ装置１は、ＰＯＳ端末２にクレジットカード９と情報の授受をする情報取得機構部１４を有するプリンタ７を接続するだけで、従来のように売上伝票５４の印刷を現金決済用のＰＯＳ端末５１のプリンタ５５で行い、クレジット決済伝票６０の印刷をＣＡＴ端末５６のプリンタ６１でそれぞれ行うようなことではなく、一台のプリンタ７によって両伝票の印刷が可能となる。従って、ＰＯＳ装置１は、プリンタ５５、６１の重複設置を排除し、トータル的に設置場所の節減が図れる。
【００８６】
（２）また、ＰＯＳ装置１は、従来使用していた現金決済用のＰＯＳ端末５１をそのままＰＯＳ端末２として使用可能である。情報取得機構部１４を有するプリンタ７を新たにＰＯＳ端末２へ接続するだけで、ＰＯＳ端末５１の機能向上を図ることが容易に可能である。
【００８７】
（３）プリンタ７の与信照会処理部１７によるクレジットカード９の与信照会が暗号を用いて実行され、商品情報および与信情報の漏洩を防止可能である。顧客の個人情報が保護され、顧客は、安心してクレジットカード９による商品購入を行うことが可能となる。
【００８８】
（４）プリンタ７は、通信インタフェース１６を交換することができ、適切な通信インタフェース１６を選択することにより、仕様の異なるＰＯＳ端末２との接続が可能である。このように、プリンタ７の本体装置自体を変更せずに各種のＰＯＳ端末２と接続ができ、現金決済用のＰＯＳ端末５１をクレジットカード９の処理可能な端末へ機能向上させることが容易である。
（実施形態２）
【００８９】
次に、本発明の実施形態２としてクレジット処理端末を用いたＰＯＳ装置１について説明する。以下の説明では、実施形態１の説明との重複を避け、異なる部分について重点的に説明する。
【００９０】
図７は、実施形態２のＰＯＳ装置を示す模式図である。ＰＯＳ装置１は、現金決済用のＰＯＳ端末２を有し、複数のＰＯＳ端末２からの情報を管理可能で販売時点管理を集中的に行うホストコンピュータ６に接続されている。また、ＰＯＳ装置１は、ＰＯＳ端末２を接続しているクレジット処理端末３５を有する。クレジット処理端末３５が対応可能なクレジットカード９はＩＣクレジットカードおよび磁気クレジットカードであり、クレジット処理端末３５は、情報取得機構部１４としてのＩＣクレジットカードに対応するためのＩＣカード読出／書込機構部１０と、磁気クレジットカードに対応するための磁気カード読出機構部１１とを有する。
【００９１】
そして、クレジット処理端末３５は、クレジットカード９によるクレジット決済機能と、クレジットカード９に関して与信照会機関１３とオンライン接続して与信照会する機能と、暗証番号を入力するピンパッド１２とをさらに有している。また、クレジット処理端末３５には、伝票８を印刷するプリンタ３６が接続されており、これらクレジット処理端末３５とクレジット処理端末３５に接続されているプリンタ３６とが実行する機能は、実施形態１における情報取得機構部１４を有するプリンタ７が実行する機能と同様である。つまり、プリンタ３６により、現金支払用のレシート（売上伝票）とクレジット支払用のレシート（クレジット決済伝票）とを一括して印刷可能である。
【００９２】
次に、このＰＯＳ装置１の構成について簡単に説明する。図８は、ＰＯＳ装置の構成を示すブロック図である。ＰＯＳ装置１は、ＰＯＳ端末２と、クレジット処理端末３５と、プリンタ３６とを有する。クレジット処理端末３５は、ＰＯＳ端末２、与信照会機関１３、プリンタ３６との接続制御およびクレジット処理端末３５の有する各機構部を制御するための制御部３７を有する。
【００９３】
制御部３７は、ＰＯＳ端末２を接続するための通信インタフェース３８と、与信照会処理部１７と、セキュリティモジュール１８を制御するセキュリティ制御部１９と、ＩＣカード読出／書込機構部１０を制御するためのＩＣカード制御部２０と、磁気カード読出機構部１１を制御する磁気カード制御部２１と、プリンタ３６を制御する印刷制御部２３と、ＲＡＭ２４と、フラッシュＲＯＭ２５と、ＣＰＵ２９とを有する。
【００９４】
これら通信インタフェース３８、与信照会処理部１７、セキュリティ制御部１９、ＩＣカード制御部２０、磁気カード制御部２１、印刷制御部２３、ＲＡＭ２４、フラッシュＲＯＭ２５、ＣＰＵ２９とがバス３９を介して相互に接続されている。
【００９５】
このようなクレジット処理端末３５の構成において、図２に示す実施形態１のプリンタ７と比較して説明すると、外部端子としてプリンタ７に接続されていたピンパッド１２は、クレジット処理端末３５では、クレジット処理端末３５に内蔵される構成になっている。また、プリンタ７の印刷機構部２２は、クレジット処理端末３５では、クレジット処理端末３５に外部装置として接続されているプリンタ３６が該当する構成になっている。
【００９６】
そして、ＰＯＳ装置１において、通信インタフェース３８は、ＰＯＳ端末２を介してホストコンピュータ６と接続されているインタフェースであって、クレジット処理端末３５の図示していない拡張スロットに脱着可能な構成で装着され、制御部３７の一機能として機能する。つまり、実施形態１におけるプリンタ７が有する通信インタフェース１６と同等な機能を果たすものである。従って、クレジット処理端末３５に通信インタフェース３８を装着することにより、クレジット処理端末３５本体の装置等を変更することなく種々のＰＯＳ端末２およびプリンタ３６を、クレジット処理端末３５へ接続することが可能となる。
【００９７】
以下、実施形態２の効果をまとめて記載する。
【００９８】
（１）本発明のＰＯＳ装置１は、ＰＯＳ端末２に情報取得機構部１４を有するクレジット処理端末３５を接続するだけで、従来のように売上伝票５４の印刷を現金決済用のＰＯＳ端末５１のプリンタ５５で行い、クレジット決済伝票６０の印刷をＣＡＴ端末５６のプリンタ６１でそれぞれ行うようなことではなく、一台のプリンタ３６によって両伝票の印刷が可能となる。
【００９９】
（２）また、ＰＯＳ装置１は、従来使用していた現金決済用のＰＯＳ端末５１をそのままＰＯＳ端末２として使用可能であり、ＰＯＳ端末５１に接続されていたプリンタ５５もそのまま使用可能である。クレジット処理端末３５を新たにＰＯＳ端末２へ接続するだけで、ＰＯＳ端末５１の機能向上を図ることが容易に可能である。
【０１００】
（３）クレジット処理端末３５は、通信インタフェース３８を交換することができ、適切な通信インタフェース３８を選択することにより、特定のＰＯＳ端末２だけでなく仕様の異なるＰＯＳ端末２との接続が可能である。プリンタ３６についても同様である。このように、クレジット処理端末３５の本体装置自体を変更せずに各種のＰＯＳ端末２およびプリンタ３６と接続が可能である。従って、現金決済用のＰＯＳ端末５１をクレジットカード９の処理可能な端末へ機能向上させることが容易である。
【０１０１】
また、本発明は上記の実施形態に限定されるものではなく、次のような変形例が挙げられる。
【０１０２】
（変形例１）ＰＯＳ装置１は、プリンタ７またはクレジット処理端末３５に、現金とクレジットカード９の決済機能のほかに、小切手、デビットカードなどの決済機能をさらに有していても良い。ＰＯＳ装置１がより多様な支払いに対応でき、店舗にとって小切手、デビットカードなどを用いる新たな顧客層を増やすことが可能である。この場合でも、各種の伝票８の印刷が一台のプリンタで対応可能である。
【０１０３】
（変形例２）プリンタ７にピンパッド１２がケーブル接続されているが、ピンパッド１２は、クレジット処理端末３５のように、プリンタ７と一体であっても良い。これにより、ＰＯＳ装置１の設置面積の節減がさらに図れる。
【０１０４】
（変形例３）ステップＳ１２，１４，１６は、ＩＣカード制御部２０または磁気カード制御部２１がそれぞれ判断してフローを進めているが、オペレータがクレジットカード９を確認して判断し、キーボード４等から入力する方法でもよい。この方法では、顧客と確認対話をしながらクレジットカード９の処理ができ、セキュリティをより強化することが可能である。
【０１０５】
（変形例４）ステップＳ３４で検証する暗証番号は、ピンパッド１２から入力された暗証番号とＩＣクレジットカードに保存されている暗証番号とを比較する方法ではなく、ピンパッド１２から入力された暗証番号をオンラインで与信照会機関１３へ送信し、与信照会機関１３に保存されている該当ＩＣクレジットカードの暗証番号とを比較する方法でも良い。この方法では、ＩＣクレジットカードに暗証番号を保存する必要が無いため、ＩＣクレジットカードの盗難、スキミング等に対するセキュリティの向上が大幅に図れる。
【０１０６】
（変形例５）ステップＳ３５においてオンラインによる与信照会が不要と判断されても、オペレータの判断で要と変更して与信照会をしても良い。ＩＣクレジットカードに保存されている決済履歴による判断に加え、オペレータの判断を加味できるため、さらにセキュリティの向上が図れる。
【０１０７】
（変形例６）ＰＯＳ装置１のＰＯＳ端末２は、現金決済用の従来のＰＯＳ端末５１に限られず、現金決済および磁気クレジットカードの決済等が可能な従来のＰＯＳ端末であっても良い。これにより、従来からある多様なＰＯＳ端末をＩＣクレジットカード対応のＰＯＳ端末２に機能向上させることが可能になる。
【図面の簡単な説明】
【０１０８】
【図１】実施形態１のＰＯＳ装置を示す模式図。
【図２】ＰＯＳ装置の構成を示すブロック図。
【図３】ＰＯＳ端末での決済処理を示すフローチャート。
【図４】プリンタによるクレジット処理およびレシート印刷処理を示すフローチャート。
【図５】ＩＣクレジットカードでの決済処理の詳細を示すフローチャート。
【図６】磁気クレジットカードでの決済処理の詳細を示すフローチャート。
【図７】実施形態２のＰＯＳ装置を示す模式図。
【図８】ＰＯＳ装置の構成を示すブロック図。
【図９】従来のＰＯＳ装置を示す模式図。
【符号の説明】
【０１０９】
１…ＰＯＳ装置、２…ＰＯＳ端末、７…プリンタ、８…伝票、９…クレジットカード、１０…ＩＣカード読出／書込機構部、１１…磁気カード読出機構部、１２…ピンパッド、１３…与信照会機関、１４…情報取得機構部、１５…制御部、１６…通信インタフェース、１７…与信照会処理部、１９…セキュリティ制御部、２０…ＩＣカード制御部、２１…磁気カード制御部、２２…印刷機構部、２３…印刷制御部、２４…ＲＡＭ、２５…フラッシュＲＯＭ、２６…クレジット取引記録ファイル、２７…ダウンロードデータファイル、２８…アプリケーションファイル、２９…ＣＰＵ、３０…アプリケーション選択実行部、３１…カード処理部としての磁気カード処理部、３２…カード処理部としてのＩＣカード処理部、３５…クレジット処理端末、３６…プリンタ、３７…制御部、３８…通信インタフェース。
【図１】
2006350687.tif 000003
【図２】
2006350687.tif 000004
【図３】
2006350687.tif 000005
【図４】
2006350687.tif 000006
【図５】
2006350687.tif 000007
【図６】
2006350687.tif 000008
【図７】
2006350687.tif 000009
【図８】
2006350687.tif 000010
【図９】
2006350687.tif 000011